(57)【要約】      （修正有）【課題】加工コストを節減できるラチェットレンチを提供する。【解決手段】ラチェットレンチは、本体１０に容槽１１、大弧槽１２、小弧槽１３、下弧槽１２６、上環状槽１５、下環状槽を設置し、ラチェット２０、戻り止め３０、方向転換ユニット４０、上環状蓋５０、下環状蓋７０、上嵌合リング６０、下嵌合リング８０を設置し、ラチェット２０には第一枢部２３、上嵌槽２４、第二枢部２５、下嵌槽２６を設置し、戻り止め３０には凹弧槽３２を設置し、方向転換ユニット４０は回転可能で、戻り止め３０の大弧槽１２内での左右移動を制御し、上環状蓋５０及び下環状蓋７０はそれぞれ上環状槽１５及び下環状槽に嵌めて設置され、上嵌合リング６０及び下嵌合リング８０はそれぞれラチェット２０両端に嵌り、上環状蓋５０及び下環状蓋７０がラチェット２０を離脱しないようそれぞれ制限し、ラチェット２０が容槽１１を離脱しないよう制限する。【選択図】図１
0003210914.tif 000002
【実用新案登録請求の範囲】
【請求項１】
ラチェットレンチは、本体、ラチェット、戻り止め、方向転換ユニット、上環状蓋、下環状蓋、上嵌合リング及び下嵌合リングを備え、
該本体には、上下に貫通した円形容槽を設置し、
該容槽片側壁には、大弧槽を陥没状に設置し、
該大弧槽の円心は、該容槽の範囲内に位置し、
該大弧槽の直径は、該容槽の直径より小さく、
該大弧槽片側壁には、小弧槽を陥没状に設置し、
該小弧槽の直径は、該大弧槽の直径より小さく、
該大弧槽上下両端は、それぞれ開放状を呈し、
該小弧槽上端は開放状を呈し、下端は封鎖部を備え、
該小弧槽片側壁の上端に近い開口位置には、ラッパ状の欠槽を陥没状に設置し、該欠槽の２個の側壁には、凹弧面状の第一抵面及び第二抵面をそれぞれ設置し、該容槽上段壁及び下段壁からその開口位置までは、それぞれ同軸に上環状槽及び下環状槽を環状かつ陥没状に設置し、
該上環状槽及び該下環状槽片側は、それぞれ該大弧槽と連通し、
該ラチェットは、回転可能なように該容槽内に設置され、外周には、環状排列歯であるラチェット部を備え、中央には、嵌め込み部を設置し、
該ラチェット両端には、第一枢部及び第二枢部をそれぞれ設置し、
該第一枢部及び該第二枢部には、上嵌槽及び下嵌槽をそれぞれ環状かつ陥没状に設置し、該第枢部及び該第二枢部は、それぞれ該上環状槽及び該下環状槽に枢設され、
該戻り止めは、移動可能なように、該大弧槽内片側に収容設置され、前側には、噛み合い部を設置し、
該噛み合い部と該ラチェット部とは、相互に噛み合い、
該方向転換ユニットは、回転可能なように該小弧槽に設置され、該戻り止めの該大弧槽内での左右移動を制御し、該ラチェットレンチの正逆回転を制御し、
該上環状蓋は、該上環状槽の底部に嵌ってつかえ、内周部は、第一枢部に嵌り、外周片側には、凸弧部を突出状に設置し、該大弧槽上端口を封鎖し、
該凸弧部中央には、凹弧部を陥没状に設置し、
該凹弧部と該小弧槽は同軸心で、該方向転換部材の外周面に嵌められ、
該上嵌合リングは、該上環状槽及び該上嵌槽に設置され、該上環状蓋に接触して封鎖し、ラチェットの離脱を防止し、
該下環状蓋は、下環状槽の底部に嵌り、内周部は、第二枢部に嵌り、外周片側の凸弧部により、該大弧槽の下端口を封鎖し、
該下嵌合リングは、下環状槽及び下嵌槽に設置され、該下環状蓋を封鎖し、これにより該ラチェットは、上環状蓋、上嵌合リング、下環状蓋及び下嵌合リングに制限され、容槽内に枢設されることを特徴とするラチェットレンチ。
【請求項２】
前記上環状槽及び該下環状槽は、該容槽に相対して上下対称を呈することを特徴とする請求項１に記載のラチェットレンチ。
【請求項３】
前記嵌め込み部は、多角槽状或いは突出した四角頭状を呈することを特徴とする請求項１に記載のラチェットレンチ。
【請求項４】
前記第一枢部の外直径は、該ラチェット部の外直径より小さいことを特徴とする請求項１に記載のラチェットレンチ。
【請求項５】
前記第二枢部の外直径は、該ラチェット部の外直径より小さいことを特徴とする請求項１に記載のラチェットレンチ。
【請求項６】
前記第二枢部の外直径と該第一枢部の外直径とは相同で、該第二枢部と該第一枢部は、ラチェット部に相対して対称を呈することを特徴とする請求項１に記載のラチェットレンチ。
【請求項７】
前記方向転換ユニットは、方向転換部材、トップ栓及び弾性パーツを備え、
該方向転換部材上には、円柱ブロックを設置し、該円柱ブロックは、該小弧槽内に枢設され、その上の限制槽は、該凹弧槽にきっちりと対応し、
該方向転換部材には、レバーを設置し、該レバーは、スイング可能なように該欠槽に収容設置され、該レバーの２個の側壁は、それぞれ凸弧面状を呈し、第一抵面及び第二抵面に対応して接触し、該方向転換部材の外周面と該円柱ブロックは、相同の外径を備え、
該戻り止め後側中央には、凹弧槽を設置し、及び２個の側には、それぞれ接触抵抗面を設置し、該接触抵抗面は、該大弧槽の内周面に接触し、
該トップ栓及び該弾性パーツは、組み合わされた後、該限制槽内に収容設置され、該弾性パーツは、トップ栓と限制槽との間に収容設置され、該トップ栓は、該弾性パーツの弾力を受け、該凹弧槽に接触してつかえることを特徴とする請求項１に記載のラチェットレンチ。
【請求項８】
前記上嵌合リング及び該下嵌合リングは、それぞれ弾性を備えることを特徴とする請求項１に記載のラチェットレンチ。
【請求項９】
前記上環状蓋は、該トップ栓上に接触してつかえ、これにより該方向転換ユニットは、該小弧槽に枢設されることを特徴とする請求項１に記載のラチェットレンチ。
【請求項１０】
前記第一枢部及び該第二枢部は、相同の直径を備え、しかも該ラチェット部の直径より大きいことを特徴とする請求項１に記載のラチェットレンチ。
【請求項１１】
前記下環状槽の円径と該上環状槽の円径とは、相同であることを特徴とする請求項１に記載のラチェットレンチ。
【請求項１２】
前記大弧槽上段壁及び下段壁からその開口位置までには、それぞれ上弧槽及び下弧槽を陥没状に設置し、
該凸弧部の外周面は、該上弧槽の内周面に密着することを特徴とする請求項１に記載のラチェットレンチ。
【請求項１３】
前記下嵌合リング片側の凸弧片は、該下環状蓋の凸弧部形状に対応し、相互に密着し、
該凸弧部及び該凸弧片の外周は、下弧槽内周面にそれぞれ密着することを特徴とする請求項１２に記載のラチェットレンチ。
【考案の詳細な説明】
【技術分野】
【０００１】
本考案はラチェットレンチに関し、特にラチェット機能を備えた手工具に関する。
【背景技術】
【０００２】
特許文献１に示すように、従来のラチェットレンチにおいて、レンチ本体１０両端には、それぞれ頭部１１及び柄部１２を設置する。
該頭部１１内には、第一収容設置部１３を設置し、該柄部１２には、第三収容設置部１５を設置する。
該第一、三収容設置部１３、１５間には、第二収容設置部１４を設置する。
方向転換スイッチ５０は、第三収容設置部１５内にセットされ、柄部１２に相対して回転し定位される。
嵌着装置６０は、方向転換スイッチ５０内に係合され、方向転換スイッチ５０に従い回転して定位される。
係合嵌着部材４０は、第二収容設置部１４内にセットされ、片側には歯部４１を設置し、反対側は嵌着装置６０と結合し、嵌着装置６０により連動され、第二収容設置部１４内で移動する。
円柱形ラチェット動部材７０は、頭部１１に相対して回転するように第一収容設置部１３にセットされ、その外周には、歯部７１を環状に設置し、歯部４１と密着状態を呈する。
【０００３】
上記した従来の構造には以下の欠点が存在する。
1. 第二収容設置部１４上下両側は封鎖状を呈するため、加工成形時にはＴ型ナイフしか使用できないが、Ｔ型ナイフを使用した加工はコストが高く、しかもＴ型ナイフの刀棒は第一収容設置部１１の内周面の制限を受け、直径を大きくできないため、断裂しやすい。
2. 第一収容設置部１３は大小の内径を備えるため、時間をかけて直径が大きいドリルヘッドにより、大きい大内径の部分を削り出す必要がある。
本考案は、従来のラチェットレンチの上記した欠点に鑑みてなされたものである。
【先行技術文献】
【特許文献】
【０００４】
【特許文献１】実用新案登録第３０８９０６２号公報
【考案の概要】
【考案が解決しようとする課題】
【０００５】
本考案が解決しようとする課題は、加工コストを節減できるラチェットレンチを提供することである。
【課題を解決するための手段】
【０００６】
上記課題を解決するため、本考案は下記のラチェットレンチを提供する。
ラチェットレンチは、本体、ラチェット、戻り止め、方向転換ユニット、上環状蓋、下環状蓋、上嵌合リング及び下嵌合リングを備え、
該本体には容槽、大弧槽、小弧槽、下弧槽、上環状槽、下環状槽を設置し、ラチェット、戻り止め、方向転換ユニット、上環状蓋、下環状蓋、上嵌合リング、下嵌合リングを設置し、
該ラチェットには、第一枢部、上嵌槽、第二枢部、下嵌槽を設置し、
該戻り止めには、凹弧槽を設置し、
該方向転換ユニットは回転可能で、戻り止めの大弧槽内での左右移動を制御し、
該上環状蓋及び該下環状蓋は、該上環状槽及び下環状槽にそれぞれ収容設置され、
該上嵌合リング及び該下嵌合リングは、それぞれラチェット両端に嵌り、該上環状蓋及び該下環状蓋がラチェットを離脱しないよう制御し、ラチェットが容槽を離脱しないよう制限する。
【考案の効果】
【０００７】
本考案のラチェットレンチは、本体構造の加工が容易で、しかもラチェット両端はそれぞれ上環状蓋及び下環状蓋により、上嵌合リング及び下嵌合リングに対応して本体の容槽に取り付けられ、組み立てが便利で、しかも構造は堅固である。
【図面の簡単な説明】
【０００８】
【図１】本考案によるラチェットレンチの立体分解図である。
【図２】本考案によるラチェットレンチ本体の前視図である。
【図３】図２中の３-３位置でカットした断面図である。
【図４】本考案によるラチェットレンチ本体の別の視角の立体図である。
【図５】本考案によるラチェットレンチ方向転換ユニットの立体分解図である。
【図６】本考案によるラチェットレンチの立体組合せ図である。
【図７】本考案によるラチェットレンチの側視図である。
【図８】図７中の８-８位置でカットした断面図である。
【図９】本考案によるラチェットレンチの前視図である。
【図１０】図９中の１０-１０位置でカットした断面図である。
【図１１】図１０中のＤ部分の拡大図である。
【図１２】本考案第二実施形態の立体分解図である。
【図１３】本考案第二実施形態の前視図である。
【図１４】図１３中の１４-１４位置でカットした断面図である。
【図１５】図１４中のＤ部分の拡大図である。
【考案を実施するための形態】
【０００９】
以下に図面を参照しながら本考案を実施するための最良の形態について詳細に説明する。
【００１０】
図１〜５及び図９〜１１に示すように、本考案によるラチェットレンチは、本体１０、ラチェット２０、戻り止め３０、方向転換ユニット４０、上環状蓋５０、下環状蓋７０、上嵌合リング６０及び下嵌合リング８０を備える。
【００１１】
該本体１０作用端には、上下に貫通した円形容槽１１を設置する。
【００１２】
該容槽１１片側壁には、大弧槽１２を陥没状に設置する。
【００１３】
該大弧槽１２の円心は、容槽１１の範囲内に位置する。
【００１４】
該大弧槽１２の直径は、容槽１１の直径より小さい。
【００１５】
該大弧槽１２の上下端はそれぞれ貫通し開放状を呈し、該大弧槽１２の周面と容槽１１の径方向線は、９０〜１２０度の挟角１２１を有する。
【００１６】
該大弧槽１２は、その弧線に沿って分布する中段１２２、及びそれぞれ中段１２２両端に位置する２個の末段１２３／１２４を備える。
【００１７】
該中段１２２壁面には、小弧槽１３を陥没状に設置する。
【００１８】
該小弧槽１３の直径は、該大弧槽１２の直径より小さい。
【００１９】
該小弧槽１３の上端は開放状を呈し、底端は封鎖部１３０を備える。
【００２０】
該小弧槽１３の上端側壁には、ラッパ状の欠槽１４を陥没状に設置する。
【００２１】
該欠槽１４の相対する２個の側壁には、凹弧面状の第一抵面１４１及び第二抵面１４２をそれぞれ設置する。
【００２２】
該容槽１１の上段から上開口位置まで、及び下段から下開口位置までの壁面には、上環状槽１５及び下環状槽１７をそれぞれ同軸心で環状かつ陥没状に設置する。
【００２３】
該上環状槽１５片側と該大弧槽１２とは、連通する。
【００２４】
該大弧槽１２の上段から上開口位置まで、及び下段から下開口位置までの壁面には、上弧槽１２５及び下弧槽１２６をそれぞれ同軸心で環状かつ陥没状に設置する。
【００２５】
該下環状槽１７と該上環状槽１５の円径は相同で、しかも容槽１１に相対して上下対称を呈する。
【００２６】
該上弧槽１２５と該下弧槽１２６の円径は相同で、しかもそれぞれ上環状槽１５及び下環状槽１７と交わる。
【００２７】
該下弧槽１２６の中段は、封鎖部１３０片側辺に沿って延伸する。
【００２８】
該ラチェット２０は、容槽１１内に回転可能なように設置され、該ラチェット２０外周には、環列歯状のラチェット部２１を設置し、該ラチェット２０中央には、多角槽状の嵌め込み部２２を設置し、これにより螺合部材と嵌合する。
【００２９】
該ラチェット２０両端には、第一枢部２３及び第二枢部２５をそれぞれ設置する。
【００３０】
該第一枢部２３及び該第二枢部２５上には、上嵌槽２４及び下嵌槽２６をそれぞれ環状かつ陥没状に設置する。
【００３１】
該第一枢部２３は、容槽１１及び上環状槽１５に枢設される。
【００３２】
該第二枢部２５は、容槽１１及び下環状槽１７に枢設される。
【００３３】
該第一枢部２３及び該第二枢部２５は、ラチェット部２１に相対して対称を呈する。
【００３４】
該戻り止め３０は、移動可能なように該大弧槽１２内に収容設置され、前側には、噛み合い部３１を設置し、該ラチェット部２１と噛み合い、後側には、凹弧槽３２を設置する。
【００３５】
該戻り止め３０後側の２個の側には、接触抵抗面３３を設置し、該大弧槽１２の内周面に接触してつかえる。
【００３６】
該接触抵抗面３３と該戻り止め３０の底面間の挟角の角度は、挟角１２１に対応する。
【００３７】
該方向転換ユニット４０は、小弧槽１３に枢設され、回転して、戻り止め３０の大弧槽１２内での左右移動を制御し、ラチェットレンチの正逆回転を制御し、方向転換部材４１、トップ栓４２及び弾性パーツ４３を備える。
【００３８】
該方向転換部材４１には、円柱ブロック４１１を設置し、該円柱ブロック４１１は、小弧槽１３内に枢設され、該円柱ブロック４１１には、限制槽４１２を設置する。
【００３９】
該限制槽４１２は、凹弧槽３２にきっちりと対応する。
【００４０】
該方向転換部材４１のレバー４１４は、スイング可能なように欠槽１４に収容され、該レバー４１４の両側は、それぞれ凸弧面状を呈し、第一抵面１４１及び第二抵面１４２位置に対応して接触つかえる。
【００４１】
該方向転換部材４１の外周面４１５と該円柱ブロック４１１は、相同の円外径を備える。
【００４２】
該トップ栓４２及び該弾性パーツ４３は、組み合わされた後、限制槽４１２内に収容設置される。
【００４３】
該弾性パーツ４３は、トップ栓４２と限制槽４１２との間に収容設置され、該トップ栓４２は、該弾性パーツ４３の弾力を受け、該凹弧槽３２に接触してつかえる。
【００４４】
該上環状蓋５０は、該上環状槽１５に収容設置され、該上環状槽１５の底部１６と接触してつかえる。
【００４５】
該上環状蓋５０は、該上環状槽１５の底部１６に嵌ってつかえ、その内周部５１は、第一枢部２３に嵌り、外周片側には、凸弧部５２０を突出状に設置し、該大弧槽１２上端口を封鎖する。
【００４６】
該凸弧部５２０中央には、凹弧部５２を陥没状に設置する。
【００４７】
該凹弧部５２と該小弧槽１３は同軸心で、該方向転換部材４１の外周面４１５に嵌められる。
【００４８】
上蓋体５０は、トップ栓４２周面に接触してつかえ、これにより該方向転換部材４１は該小弧槽１３外へ脱出しない。
【００４９】
該凸弧部５２０外周面は、上弧槽１２５内周面に密着する。
【００５０】
上嵌合リング６０は、弾性を備え、該上環状槽１５及び該上嵌槽２４位置に設置され、該上環状蓋５０に接触して封鎖し、ラチェット２０の離脱を防止する。
【００５１】
該下環状蓋７０は、下環状槽１７の底部１８に嵌り、その内周部７１は、第二枢部２５に嵌り、の外周片側の凸弧部７２により、大弧槽１２の下端口を封鎖する。
【００５２】
下嵌合リング８０は、弾性を備え、下環状槽１７及び下嵌槽２６に嵌めて設置され、下環状蓋７０を封鎖し、これにより、該ラチェット２０は、上環状蓋５０、上嵌合リング６０、下環状蓋７０及び下嵌合リング８０に制限され、容槽１１内に枢設される。
【００５３】
該下嵌合リング８０片側凸弧片８１は、該下環状蓋７０の凸弧部７２形状に対応し、相互に密着する。
【００５４】
該凸弧部７２及び該凸弧片８１の外周は、下弧槽１２６内周面にそれぞれ密着する。
【００５５】
図６〜８に示すように、方向転換ユニット４０は、小弧槽１３内に枢設され、トップ栓４２は、弾性パーツ４３の弾力を受け、該戻り止め３０の凹弧槽３２に入り、使用者がレバー４１４を動かせば、噛み合い部３１とラチェット部２１とは噛み合う。
【００５６】
操作して、該方向転換ユニット４０が回転し、戻り止め３０の大弧槽１２内での左右移動を制御すると、ラチェットレンチの正逆回転を制御することができる。
【００５７】
図１２〜１５に示すように、本考案の第二実施形態では、該大弧槽１２内周はその上端開口まで延伸し、すべて同一円径で、図１に示すように、大弧槽１２上端に上弧槽１２５を陥没状に設置するのではない。
【００５８】
該ラチェット２０の第一枢部２３及び第二枢部２５は同一円径で、しかもそれぞれラチェット部２１の円径より大きい。
【００５９】
本考案の別種の実施形態では、嵌め込み部２２は、突出した四角頭状である。
【００６０】
本考案のラチェットレンチは、以下の長所を備える。
1. 大弧槽１２及び小弧槽１３の同一上端は開放状を呈するため、ドリルヘッド加工が容易で、コストを節減できる。
2. 容槽１１は貫通槽状を呈するため、カッター加工時に加工の深さを制御する必要がない。
3. 容槽１１、大弧槽１２、小弧槽１３は、同一機器で加工を完成させられるため、公差が累積することはない。
4. 容槽１１、大弧槽１２、小弧槽１３の同一上端は開放状を呈するため、本体１０は一度のプレスで成形可能である。
5. 本体１０は必要に応じて、ドリルヘッド加工或いはプレス成形を選択可能であるため、多種の加工を選択できる。
6. 図９に示すように、レバー４１４の第一抵部及び第二抵部は、第一抵面１４１及び第二抵面１４２に対応し、接触してつかえるため、方向転換部材４１回転の最大角度を制限できる。
7. 方向転換部材４１は半円形小弧槽１３に枢設され、外周面４１５は凹弧部５２と枢設されるため、方向転換部材４１の枢設は堅固である。
8. 上嵌合リング６０及び下嵌合リング８０の設置は、取り付け人員のラチェットレンチの取り付けを便利にし、操作者は上嵌合リング６０を通して、上環状蓋５０を上嵌槽２４に固定することで、ラチェット２０、戻り止め３０及び弾性パーツ４０は本体１０内に収容設置され、下環状蓋７０及び下嵌合リング８０を通して、ラチェット２０を枢設する。
9. 第一枢部２３は内周部５１に枢設され、第二枢部２５は容槽１１に枢設されるため、ラチェット２０は堅固に枢設される。
10. 上嵌合リング６０及び第一蓋体５０或いは下嵌合リング８０及び下環状蓋７０を開くだけで、ラチェット２０を容槽１１から取り出し、便利に部品を交換できる。
11. 図１１に示すように、ラチェット２０両端は第一蓋体５０、第一嵌合リング６０、下環状蓋７０及び第二嵌合リング８０により嵌合され、底部１６、１８に接触し、本体１０に組み付けられるため、取り付けと取り外しに便利である。
12. 第一枢部２３は内周部５１に枢設され、第二枢部２５は内周部７１に枢設され、ラチェット２０両端には共に枢設サポートを備えるため、最適な枢設構造を有する。
【００６１】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００６２】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００６３】
１０  本体
１１  容槽
１２  大弧槽
１２１  挟角
１２２  中段
１２３、１２４  末段
１２５  上弧槽
１２６  下弧槽
１３  小弧槽
１３０  封鎖部
１４  欠槽
１４１  第一抵面
１４２  第二抵面
１５  上環状槽
１６  底部
１７  下環状槽
１８  底部
２０  ラチェット
２１  ラチェット部
２２  嵌め込み部
２３  第一枢部
２４  上嵌槽
２５  第二枢部
２６  下嵌槽
３０  戻り止め
３１  噛み合い部
３２  凹弧槽
３３  接触抵抗面
４０  方向転換ユニット
４１  方向転換部材
４１１  円柱ブロック
４１２  限制槽
４１４  レバー
４１５  外周面
４２  トップ栓
４３  弾性パーツ
５０  蓋体
５１  内周部
５２  凹弧部
５２０  凸弧部
６０  上嵌合リング
７０  下環状蓋
７１  内周部
７２  凸弧部
８０  下嵌合リング
８１  凸弧片
【図１】
0003210914.tif 000003
【図２】
0003210914.tif 000004
【図３】
0003210914.tif 000005
【図４】
0003210914.tif 000006
【図５】
0003210914.tif 000007
【図６】
0003210914.tif 000008
【図７】
0003210914.tif 000009
【図８】
0003210914.tif 000010
【図９】
0003210914.tif 000011
【図１０】
0003210914.tif 000012
【図１１】
0003210914.tif 000013
【図１２】
0003210914.tif 000014
【図１３】
0003210914.tif 000015
【図１４】
0003210914.tif 000016
【図１５】
0003210914.tif 000017
【手続補正書】
【提出日】平成29年4月10日(2017.4.10)
【手続補正１】
【補正対象書類名】実用新案登録請求の範囲
【補正対象項目名】全文
【補正方法】変更
【補正の内容】
【実用新案登録請求の範囲】
【請求項１】
ラチェットレンチは、本体、ラチェット、戻り止め、方向転換ユニット、上環状蓋、下環状蓋、上嵌合リング及び下嵌合リングを備え、
該本体には、上下に貫通した円形容槽を設置し、
該容槽片側壁には、大弧槽を陥没状に設置し、
該大弧槽の円心は、該容槽の範囲内に位置し、
該大弧槽の直径は、該容槽の直径より小さく、
該大弧槽片側壁には、小弧槽を陥没状に設置し、
該小弧槽の直径は、該大弧槽の直径より小さく、
該大弧槽上下両端は、それぞれ開放状を呈し、
該小弧槽上端は開放状を呈し、下端は封鎖部を備え、
該小弧槽片側壁の上端に近い開口位置には、ラッパ状の欠槽を陥没状に設置し、該欠槽の２個の側壁には、凹弧面状の第一抵面及び第二抵面をそれぞれ設置し、該容槽上段壁及び下段壁からその開口位置までは、それぞれ同軸に上環状槽及び下環状槽を環状かつ陥没状に設置し、
該上環状槽及び該下環状槽片側は、それぞれ該大弧槽と連通し、
該ラチェットは、回転可能なように該容槽内に設置され、外周には、環状排列歯であるラチェット部を備え、中央には、嵌め込み部を設置し、
該ラチェット両端には、第一枢部及び第二枢部をそれぞれ設置し、
該第一枢部及び該第二枢部には、上嵌槽及び下嵌槽をそれぞれ環状かつ陥没状に設置し、該第一枢部及び該第二枢部は、それぞれ該上環状槽及び該下環状槽に枢設され、
該戻り止めは、移動可能なように、該大弧槽内片側に収容設置され、前側には、噛み合い部を設置し、
該噛み合い部と該ラチェット部とは、相互に噛み合い、
該方向転換ユニットは、回転可能なように該小弧槽に設置され、該戻り止めの該大弧槽内での左右移動を制御し、該ラチェットレンチの正逆回転を制御し、
該上環状蓋は、該上環状槽の底部に嵌ってつかえ、内周部は、第一枢部に嵌り、外周片側には、凸弧部を突出状に設置し、該大弧槽上端口を封鎖し、
該凸弧部中央には、凹弧部を陥没状に設置し、
該凹弧部と該小弧槽は同軸心で、方向転換部材の外周面に嵌められ、
該上嵌合リングは、該上環状槽及び該上嵌槽に設置され、該上環状蓋に接触して封鎖し、ラチェットの離脱を防止し、
該下環状蓋は、下環状槽の底部に嵌り、内周部は、第二枢部に嵌り、外周片側の凸弧部により、該大弧槽の下端口を封鎖し、
該下嵌合リングは、下環状槽及び下嵌槽に設置され、該下環状蓋を封鎖し、これにより該ラチェットは、上環状蓋、上嵌合リング、下環状蓋及び下嵌合リングに制限され、容槽内に枢設されることを特徴とするラチェットレンチ。
【請求項２】
前記上環状槽及び該下環状槽は、該容槽に相対して上下対称を呈することを特徴とする請求項１に記載のラチェットレンチ。
【請求項３】
前記嵌め込み部は、多角槽状或いは突出した四角頭状を呈することを特徴とする請求項１に記載のラチェットレンチ。
【請求項４】
前記第一枢部の外直径は、該ラチェット部の外直径より小さいことを特徴とする請求項１に記載のラチェットレンチ。
【請求項５】
前記第二枢部の外直径は、該ラチェット部の外直径より小さいことを特徴とする請求項１に記載のラチェットレンチ。
【請求項６】
前記第二枢部の外直径と該第一枢部の外直径とは相同で、該第二枢部と該第一枢部は、ラチェット部に相対して対称を呈することを特徴とする請求項１に記載のラチェットレンチ。
【請求項７】
前記方向転換ユニットは、方向転換部材、トップ栓及び弾性パーツを備え、
該方向転換部材上には、円柱ブロックを設置し、該円柱ブロックは、該小弧槽内に枢設され、その上の限制槽は、凹弧槽にきっちりと対応し、
該方向転換部材には、レバーを設置し、該レバーは、スイング可能なように該欠槽に収容設置され、該レバーの２個の側壁は、それぞれ凸弧面状を呈し、第一抵面及び第二抵面に対応して接触し、該方向転換部材の外周面と該円柱ブロックは、相同の外径を備え、
該戻り止め後側中央には、該凹弧槽が設置され、及び２個の側には、それぞれ接触抵抗面を設置し、該接触抵抗面は、該大弧槽の内周面に接触し、
該トップ栓及び該弾性パーツは、組み合わされた後、該限制槽内に収容設置され、該弾性パーツは、トップ栓と限制槽との間に収容設置され、該トップ栓は、該弾性パーツの弾力を受け、該凹弧槽に接触してつかえることを特徴とする請求項１に記載のラチェットレンチ。
【請求項８】
前記上嵌合リング及び該下嵌合リングは、それぞれ弾性を備えることを特徴とする請求項１に記載のラチェットレンチ。
【請求項９】
前記上環状蓋は、該トップ栓上に接触してつかえ、これにより該方向転換ユニットは、該小弧槽に枢設されることを特徴とする請求項７に記載のラチェットレンチ。
【請求項１０】
前記第一枢部及び該第二枢部は、相同の直径を備え、しかも該ラチェット部の直径より大きいことを特徴とする請求項１に記載のラチェットレンチ。
【請求項１１】
前記下環状槽の円径と該上環状槽の円径とは、相同であることを特徴とする請求項１に記載のラチェットレンチ。
【請求項１２】
前記大弧槽上段壁及び下段壁からその開口位置までには、それぞれ上弧槽及び下弧槽を陥没状に設置し、
該凸弧部の外周面は、該上弧槽の内周面に密着することを特徴とする請求項１に記載のラチェットレンチ。
【請求項１３】
前記下嵌合リング片側の凸弧片は、該下環状蓋の凸弧部形状に対応し、相互に密着し、  該凸弧部及び該凸弧片の外周は、下弧槽内周面にそれぞれ密着することを特徴とする請求項１２に記載のラチェットレンチ。